(57)【要約】【課題】引き戸の跳ね上がりを制動機構による制動が開始されるタイミングに合わせて確実に防止することができる跳ね上がり防止装置を提供する。【解決手段】引き戸１１が閉位置側に移動する際、跳ね上がり防止部材１７の下端面１７ｃと引き戸１１の上端面１１ａとが向かい合った後の所定のタイミングでスライド部材１８と引き戸１１のガイド部材１３Ａとが連結され、その後、引き戸１１が閉止状態になるまで、スライド部材１８とこれに保持されている跳ね上がり防止部材１７が引き戸１１のガイド部材１３と共に移動するように構成した。【選択図】図７
2012097405.tif 000002
【特許請求の範囲】
【請求項１】
建物の開口部を開閉する引き戸（１１）と、
前記開口部の上端に設けられたガイドレール（１２）と、
前記引き戸（１１）の戸先側上端部に固定され前記ガイドレール（１２）に案内されつつ前記引き戸（１１）と共にスライドするガイド部材（１３Ａ）と、
前記引き戸（１１）を閉まり際に制動する制動機構（１４）と、を備えた引き戸装置（１０）における前記引き戸（１１）の制動時の跳ね上がりを防止する装置であって、
前記ガイドレール（１２）に取り付けられた本体（１６）と、
前記引き戸（１１）の制動時に前記引き戸（１１）の上端面（１１ａ）に当接して前記引き戸（１１）の戸先側の上方への移動を阻止する跳ね上がり防止部材（１７）と、
前記跳ね上がり防止部材（１７）を保持しつつ前記引き戸（１１）の開閉方向にスライド可能に前記本体（１６）に支持されたスライド部材（１８）と、
前記引き戸（１１）が閉じ側に移動する際、前記跳ね上がり防止部材（１７）の下端面（１７ｃ）と前記引き戸（１１）の上端面（１１ａ）とが向かい合った後の所定のタイミングで前記スライド部材（１８）と前記ガイド部材（１３Ａ）とを連結する連結機構（１９）と、を有することを特徴とする引き戸の跳ね上がり防止装置。
【請求項２】
前記連結機構（１９）は、
前記スライド部材（１８）に支持され、且つ前記ガイド部材（１３Ａ）の上端部に係脱自在に連結されるラッチ部材（２２）と、
前記ラッチ部材（２２）を前記ガイド部材（１３Ａ）との連結を解除する向きに常時付勢している付勢部材（２３）と、
前記所定のタイミングで前記ラッチ部材（２２）を前記付勢部材（２３）による付勢力に抗しつつ前記ガイド部材（１３Ａ）に連結するラッチ作動機構（２４）と、を有する請求項１記載の引き戸の跳ね上がり防止装置。
【請求項３】
前記引き戸（１１）の開位置側への移動に連動させて前記ガイド部材（１３Ａ）と前記ラッチ部材（２２）との連結を解除する連結解除機構（２５）を有する請求項２記載の引き戸の跳ね上がり防止装置。
【請求項４】
前記スライド部材（１８）による前記跳ね上がり防止部材（１７）の上下方向の保持位置を調節するための調節機構（２１）を有する請求項１乃至３のいずれかに記載の引き戸の跳ね上がり防止装置。
【請求項５】
前記ラッチ部材（２２）の先端部の下部には、前記ガイド部材（１３Ａ）を前記ラッチ部材（２２）の下に入り込ませるべく傾斜したガイド面（２２ｃ）が設けられている請求項１乃至４のいずれかに記載の引き戸の跳ね上がり防止装置。
【発明の詳細な説明】
【技術分野】
【０００１】
本発明は、引き戸を閉まり際に強制的に減速させる制動機構を備えた引き戸装置において、引き戸の制動時における跳ね上がりを防止する跳ね上がり防止装置に関する。
【背景技術】
【０００２】
建物の開口を水平方向にスライドして開閉する引き戸には、戸先が戸枠に勢いよく衝突し、衝撃音や振動が発生したり、引き戸の跳ね返りが発生したりするという問題がある。この問題を解消するべく、引き戸を閉まり際に強制的に減速させる制動機構が引き戸装置に装備される（特許文献１）。
【０００３】
しかし、制動機構を備えた引き戸装置においては、制動機構による制動力が作用し始めた瞬間に、図１２に示すように引き戸１１の戸先側が跳ね上がることがある。これが引き戸１１の閉まり際における異音の発生原因、さらには引き戸１１を支えている走行輪１１Ａ、１１Ｂやレール１２、ガイド部材１３Ａ、１３Ｂなどの損傷あるいは早期劣化の原因となる。この問題を解消するべく、引き戸１１の閉まり際に引き戸１１の戸先部分を上方から押さえ込むように構成した跳ね上がり防止装置が提案された（特許文献２）。
【先行技術文献】
【特許文献】
【０００４】
【特許文献１】特開２００４−１１６２３１号公報
【特許文献２】特開２００７−３１９４６号公報
【発明の概要】
【発明が解決しようとする課題】
【０００５】
特許文献２に記載された跳ね上がり防止装置は、図１３に示すように、引き戸１１をスライド自在に案内する上側レール１２の終端位置に上側部材３１を、引き戸１１の戸先の上端に下側部材３２を、それぞれ取り付け、上側部材３１の下面に下側部材３２の上面を当接させることにより、引き戸１１の戸先側の上方への移動を阻止するものである。このため、引き戸１１が閉まる直前にならないと跳ね上がり防止機能を発揮し得ない。
【０００６】
引き戸装置の使用環境によっては、引き戸１１が閉まる直前よりも早期に制動装置による制動力を作用させることにより、できるだけ時間をかけてゆっくりと引き戸１１を停止させることが要求される場合がある。特許文献２に記載された跳ね上がり防止装置によってこの要求を満たすためには、上側部材３１の取り付け位置を上側レール１２の終端位置よりも手前（図１３では左側）の位置に変更して制動が開始されるタイミングを早める必要がある。
【０００７】
しかし、引き戸１１には上側レール１２に係合しつつ案内されるガイド部材１３Ａが上方に突き出して設けられているため、上側部材３１の取り付け位置はガイド部材１３Ａと干渉しない位置に制限される。このため、ガイド部材１３Ａが引き戸１１の戸先近くに設けられている場合においては、上側部材３１を上側レール１２の終端位置に取り付けざるを得ず、上記要求を満たすことはできない。
【０００８】
本発明が解決しようとする課題は、引き戸を閉まり際に制動してゆっくりと停止させる制動機構を備えた引き戸装置において、引き戸の跳ね上がりを制動機構による制動が開始されるタイミングに合わせて確実に防止することができる跳ね上がり防止装置を提供することにある。
【課題を解決するための手段】
【０００９】
上記課題を解決するために、本発明の跳ね上がり防止装置は、建物の開口部を開閉する引き戸と、前記開口部の上端に設けられたガイドレールと、前記引き戸の戸先側上端部に固定され前記ガイドレールに案内されつつ前記引き戸と共にスライドするガイド部材と、前記引き戸を閉まり際に制動する制動機構と、を備えた引き戸装置における前記引き戸の制動時の跳ね上がりを防止する装置であって、前記ガイドレールに取り付けられた本体と、前記引き戸の制動時に前記引き戸の上端面に当接して前記引き戸の戸先側の上方への移動を阻止する跳ね上がり防止部材と、前記跳ね上がり防止部材を保持しつつ前記引き戸の開閉方向にスライド可能に前記本体に支持されたスライド部材と、前記引き戸が閉じ側に移動する際、前記跳ね上がり防止部材の下端面と前記引き戸の上端面とが向かい合った後の所定のタイミングで前記スライド部材と前記ガイド部材とを連結する連結機構と、を有することを特徴としている。
【００１０】
この構成によれば、引き戸が閉位置側に移動する際、跳ね上がり防止部材の下端面と引き戸の上端面とが向かい合った後の所定のタイミングでスライド部材と引き戸のガイド部材とが連結される。その後、引き戸が閉止状態になるまで、スライド部材とこれに保持されている跳ね上がり防止部材とが引き戸のガイド部材と共に移動する。
したがって、跳ね上がり防止部材をガイドレールの終端位置よりも可成り手前の位置に待機させた場合でも、その跳ね上がり防止部材が引き戸のガイド部材と干渉することはなく、引き戸の跳ね上がりを制動機構による制動が開始されるタイミングに合わせて確実に防止することができる。
【００１１】
前記連結機構は、前記スライド部材に支持され、且つ前記ガイド部材の上端部に係脱自在に連結されるラッチ部材と、前記ラッチ部材を前記ガイド部材との連結を解除する向きに常時付勢している付勢部材と、前記所定のタイミングで前記ラッチ部材を前記付勢部材による付勢力に抗しつつ前記ガイド部材に連結するラッチ作動機構と、を有することが望ましい。
この構成によれば、ラッチ部材を付勢部材による付勢力によって待機姿勢にしておき、跳ね上がり防止部材の下端面と引き戸の上端面とが向かい合った後の所定のタイミングでラッチ部材をガイド部材に連結して、ガイド部材とスライド部材とを相互に連結することができる。
【００１２】
また、前記ラッチ部材の先端部（引き戸の開位置側の端部）の下部には、前記ガイド部材を前記ラッチ部材の下に入り込ませるべく傾斜したガイド面が設けられていることが望ましい。
この構成によれば、先端側ガイド部材に連結されていないにもかかわらず、何らかの原因でラッチ部材が先端側ガイド部材との連結姿勢（異常姿勢）になっている場合でも、引き戸を閉位置側に移動させることにより、先端側ガイド部材をラッチ部材の下に入り込ませて、ラッチ部材を正常姿勢に復帰させることができる。
【００１３】
本発明の引き戸の跳ね上がり防止装置は、更に、前記引き戸の開位置側への移動に連動させて前記ガイド部材と前記ラッチ部材との連結を解除する連結解除機構を有することが望ましい。
この構成によれば、ガイド部材とスライド部材とが連結された状態から、引き戸を開位置側へ移動させることにより、ガイド部材とラッチ部材との連結を自動的に解除することができる。
【００１４】
本発明の引き戸の跳ね上がり防止装置は、更に、前記スライド部材による前記跳ね上がり防止部材の上下方向の保持位置を調節するための調節機構を有することが望ましい。
この構成によれば、引き戸の制動時に跳ね上がり防止部材の下端面が引き戸の上端面に確実に当接するように、跳ね上がり防止部材の上下方向の保持位置を調節することができる。
【発明の効果】
【００１５】
本発明の引き戸の跳ね上がり防止装置によれば、引き戸の跳ね上がりを制動機構による制動が開始されるタイミングに合わせて確実に防止することができる。
【図面の簡単な説明】
【００１６】
【図１】本発明の跳ね上がり防止装置を備えた引き戸装置の形態例を示す正面図
【図２】図１に示す引き戸装置の要部斜視図
【図３】図１に示す引き戸装置の要部拡大斜視図
【図４】本発明の跳ね上がり防止装置の形態例を示す全体斜視図
【図５】図４に示す跳ね上がり防止装置の分解斜視図
【図６】跳ね上がり防止装置と引き戸のガイド部材とが未連結の状態を示す引き戸装置の要部斜視図
【図７】跳ね上がり防止装置と引き戸のガイド部材とが連結される直前の状態を示す引き戸装置の要部断面図
【図８】跳ね上がり防止装置と引き戸のガイド部材とが連結された状態を示す引き戸装置の要部断面図
【図９】跳ね上がり防止装置と引き戸のガイド部材とが連結された状態を示す引き戸装置の要部斜視図
【図１０】（ａ）は跳ね上がり防止部材の上下方向の位置が未調整の状態を示す引き戸装置の要部正面図  （ｂ）は要部側面図
【図１１】（ａ）は跳ね上がり防止部材の上下方向の位置を調整済みの状態を示す引き戸装置の要部正面図  （ｂ）は要部側面図
【図１２】引き戸の跳ね上がりが生じている状態を例示する概念図
【図１３】従来の跳ね上がり防止装置の概念図
【発明を実施するための形態】
【００１７】
以下、本発明を実施するための最良の形態について説明する。
図１は本発明の跳ね上がり防止装置を備えた引き戸装置の形態例を示す部分正面図である。図２は図１に示す引き戸装置の要部斜視図である。
図１に示す引き戸装置１０は、建物の開口部を開閉する引き戸１１と、引き戸１１をその上方に敷設されているガイドレール（上レール）１２に沿わせて案内するべく引き戸１１の上端に取り付けられた一対のガイド部材１３Ａ、１３Ｂと、引き戸１１を閉まり際に制動する制動機構１４と、制動時における引き戸１１の跳ね上がりを防止する跳ね上がり防止装置１５と、を有している。
この引き戸装置１０は下荷重タイプの引き戸装置である。引き戸１１の下端部の左右両端部には一対の走行輪１１Ａ、１１Ｂが設けられている。両走行輪１１Ａ、１１Ｂは、引き戸１１の下端面から一部突出し、引き戸１１の下方に設けられたレール溝（図示省略）に嵌合している。両走行輪１１Ａ、１１Ｂは、引き戸１１の荷重を支えつつ従動回転することによりレール溝に沿って走行する。
【００１８】
ガイドレール１２は下面にガイドスリット１２ａを有する断面略Ｃ字型のレールである。
ガイド部材１３Ａ、１３Ｂは、引き戸１１の上端面から上方に突出した円柱状の軸部１３ａと、軸部１３ａの上端に設けられた円形のヘッド部１３ｂとを有する。ガイド部材１３Ａ、１３Ｂのヘッド部１３ｂがガイドスリット１２ａの内縁に接しつつスライドすることにより、がたつきの少ないスムースな引き戸１１の開閉動作を可能にしている。
【００１９】
ガイド部材１３Ａ、１３Ｂは、引き戸１１の上端の開閉方向両端近傍に設けられている。以下、引き戸１１の閉まる側に設けられたガイド部材１３Ａを先端側ガイド部材１３Ａと、開く側に設けられたガイド部材１３Ｂを後端側ガイド部材１３Ｂと、それぞれ記す。
【００２０】
制動機構１４は、引き戸１１の閉まり際に後端側ガイド部材１３Ｂを捕捉して引き戸１１に制動力を作用させる機構である。制動機構１４は、ガイドレール１２内の所定の位置に設置されている。
【００２１】
跳ね上がり防止装置１５は、ガイドレール１２内の戸先側端部（図示右側端部）に設置されている。
図３乃至図１１に示すように、跳ね上がり防止装置１５は、本体１６と、跳ね上がり防止部材１７と、スライド部材１８と、連結機構１９と、連結解除機構２５とを備えている。
【００２２】
本体１６は、ガイドレール１２内に嵌合させて、ガイドレール１２の上部に螺子２０で締着固定されている。本体１６内には、スライド部材１８及び連結機構１９がスライド自在に収容されている。
【００２３】
跳ね上がり防止部材１７は、引き戸１１の制動時に引き戸１１の上端面１１ａに当接して引き戸１１の戸先側の上方への移動を阻止する部材である。この例では、跳ね上がり防止部材１７として、螺子部１７ａと円板状のヘッド部１７ｂとを有するボルトが使用されている。ヘッド部１７ｂの下面１７ｃの中央部には、プラスドライバ等の工具を使用して跳ね上がり防止部材１７を回動操作するための十字穴１７ｄが形成されている。
【００２４】
スライド部材１８には、跳ね上がり防止部材１７を保持するための螺子孔１８ａが設けられている。螺子孔１８ａには跳ね上がり防止部材１７の螺子部１７ａが螺合しており、プラスドライバ等の工具を使用して跳ね上がり防止部材１７を回動操作することにより、スライド部材１８による跳ね上がり防止部材１７の上下方向の保持位置を調節することができるようになっている。すなわち、この例では、跳ね上がり防止部材１７に設けられた螺子部１７ａとスライド部材１８に設けられた螺子孔１８ａとにより跳ね上がり防止部材１７の高さ位置調節機構２１が構成されている。
【００２５】
スライド部材１８は、本体１６の内面に嵌合した状態で本体１６の長手方向にスライドする。本体１６の両側壁には、スライド部材１８を案内するガイドスリット１６ａが設けられている。スライド部材１８の両側部には、ガイドスリット１６ａに嵌合しつつ案内される横長のガイド突起１８ｂが設けられている。ガイド突起１８ｂを横長にすることにより、スライド部材１８のガイド方向のがたつきを防止している。
【００２６】
連結機構１９は、ラッチ部材２２と、付勢部材２３と、ラッチ作動機構２４と、連結解除機構２５と、を有している。
ラッチ部材２２は、スライド部材１８と先端側ガイド部材１３Ａとを連結するための部材である。ラッチ部材２２は、スライド部材１８に上下に回動自在に支持されており、それ自体が上下に回動することによって先端側ガイド部材１３Ａの上端部に係脱するように構成されている。
スライド部材１８の後端部（引き戸１１の開位置側の端部）には、ラッチ部材２２をスライド部材１８に上下に回動自在に支持するための支持孔１８ｃを有するブラケット部１８ｄが形成されている。ラッチ部材２２の基端部（引き戸１１の閉位置側の端部）の上隅部には両支持孔１８ｃに回動自在に嵌合する軸状突起部２２ａが設けられている。ラッチ部材２２は、その軸状突起部２２ａがブラケット部１８ｄの支持孔１８ｃに連結されることにより、スライド部材１８に上下に回動自在に連結されている。
【００２７】
付勢部材２３は、ラッチ部材２２とスライド部材１８との間に設けられている。この例では、付勢部材２３としてコイルばねが用いられている。ラッチ部材２２とスライド部材１８の互いの対面部には、付勢部材２３の端部を受け入れて保持する保持穴２２ｄ、１８ｅがそれぞれ形成されている。付勢部材２３は、ラッチ部材２２を上方に回動させる向き、すなわち先端側ガイド部材１３Ａとの連結を解除する向きに常時付勢している。
【００２８】
ラッチ部材２２の下部には、先端側ガイド部材１３Ａのヘッド部１３ｂに嵌合する嵌合凹部２２ｂが設けられている。ラッチ部材２２の基端部の下部には、引き戸１１が閉まる際、先端側ガイド部材１３Ａのヘッド部１３ｂが当接するガイド当接部２２ｅが設けられている。ガイド当接部２２ｅは、嵌合凹部２２ｂの基端側の壁を構成している。
ラッチ部材２２は、引き戸１１が閉位置側に移動する際、そのガイド当接部２２ｅが先端側ガイド部材１３Ａに押されることにより、付勢部材２３による付勢力に抗して下方に回動させられる。そして、跳ね上がり防止部材１７の下端面１７ｃと引き戸１１の上端面１１ａとが向かい合った後の所定のタイミングで先端側ガイド部材１３Ａに連結される（図８及び図９参照）。すなわち、この例では、ガイド当接部２２ｅを有するラッチ部材２２自体がラッチ作動機構２４を構成している。ラッチ部材２２の先端部（引き戸１１の開位置側の端部）の下部には、嵌合凹部２２ｂからラッチ部材２２の先端に向かって上方に傾斜したガイド面２２ｃが設けられている。
【００２９】
連結解除機構２５は、付勢部材２３と、ラッチ部材２２の先端部両側に設けられたガイド突起２２ｆと、本体１６の両内側面に設けられたガイド段部１６ｂとで構成される。ガイド突起２２ｆは、付勢部材２３による付勢力でガイド段部１６ｂに押しつけられ、ガイド段部１６ｂに倣いつつ移動する。ガイド段部１６ｂは、ガイド突起２２ｆを水平方向に案内する水平部１６ｂ1と、水平部１６ｂ1の終端（引き戸１１の開位置側の端）から上方に斜めに延びる傾斜部１６ｂ2とからなる。ラッチ部材２２が先端側ガイド部材１３Ａに連結された状態で引き戸１１が開位置側に移動する際、ガイド突起２２ｆが水平部１６ｂ1から傾斜部１６ｂ2に移動することにより、ラッチ部材２２が付勢部材２３による付勢力により上方に回動し、先端側ガイド部材１３Ａとラッチ部材２２との連結が解除される仕組みになっている。
【００３０】
つぎに、上記のように構成された跳ね上がり防止装置１５の作用・効果について説明する。
引き戸１１が閉位置側に移動する際、跳ね上がり防止部材１７の下端面１７ｃと引き戸１１の上端面１１ａとが向かい合った後の所定のタイミングでスライド部材１８と引き戸１１の先端側ガイド部材１３Ａとが連結される。その後、引き戸１１が閉止状態になるまで、スライド部材１８とこれに保持されている跳ね上がり防止部材１７とが引き戸１１のガイド部材１３と共に移動する。このため、跳ね上がり防止部材１７をガイドレール１２の終端位置よりも可成り手前の位置に待機させても、跳ね上がり防止部材１７が引き戸１１の先端側ガイド部材１３Ａと干渉しない。
したがって、引き戸１１が閉まる際、完全に閉まるタイミングよりも可成り早期に制動機構１４を働かせてゆっくりと時間をかけて引き戸１１を停止させるように構成された引き戸装置１０においても、引き戸１１の跳ね上がりを制動機構１４による制動が開始されるタイミングに合わせて確実に防止することができる。
【００３１】
また、先端側ガイド部材１３Ａとスライド部材１８とが連結された状態から、引き戸１１を開位置側へ移動させたときに、先端側ガイド部材１３Ａとスライド部材１８との連結が自動的に解除される仕組みになっているので、この跳ね上がり防止装置１５を設けたことで引き戸１１の使い勝手が損なわれることはない。
【００３２】
また、この跳ね上がり防止装置１５は、プラスドライバ等の工具を使用して跳ね上がり防止部材１７を回動操作することにより、跳ね上がり防止部材１７の下面１７ｃが引き戸１１の上端面１１ａに確実に当接するように、跳ね上がり防止部材１７の上下方向の保持位置を容易に調節することができるので、ガイドレール１２と引き戸１１との間隔等が異なる種々の引き戸装置に適用可能である。例えば、図１０に示すように、跳ね上がり防止部材１７と引き戸１１とが離れている場合、跳ね上がり防止装置１５の跳ね上がり防止機能を有効に働かせることはできないが、図１１に示すように、跳ね上がり防止部材１７の下面１７ｃが引き戸１１の上端面１１ａに当接するように跳ね上がり防止部材１７の上下方向の位置を調節しておくことにより、跳ね上がり防止機能を有効に働かせることができるようになる。
【００３３】
また、ラッチ部材２２の先端部下部にガイド面２２ｃが設けられているので、先端側ガイド部材１３Ａに連結されていないにもかかわらず、何らかの原因でラッチ部材２２が先端側ガイド部材１３Ａとの連結姿勢すなわち、下方に回動したままの異常姿勢になっている場合でも、引き戸１１を閉位置側に移動させることにより、先端側ガイド部材１３Ａをラッチ部材２２の下に入り込ませて、ラッチ部材２２を正常姿勢に復帰させることができる。
【００３４】
なお、上記実施形態では、本発明の跳ね上がり防止装置を下荷重タイプの引き戸装置に適用した例を示したが、上荷重タイプの引き戸装置にも適用可能である。
また、上記実施形態では、ラッチ部材２２がスライド部材１８に上下に回動自在に支持されているが、ラッチ部材２２がスライド部材１８に上下に移動自在（昇降自在）に支持されている構成を採用してもよい。
また、上記実施形態では、付勢部材２３としてコイルばねが用いられているが、コイルばねに代えて板ばねを用いてもよい。また、スライド部材１８またはラッチ部材２２に、板ばねとして機能する弾性部を一体形成により設けてもよい。また、ばねに代えてゴムやダンパ機構を用いてもよい。
また、上記実施形態では、スライド部材１８とラッチ部材２２がそれぞれ別々の部材であるが、両部材１８、２２を樹脂などで一体として成型し、スライド部に対してラッチ部が弾性的に上下に揺動する構成を採用してもよい。この場合、スライド部とラッチ部との間の樹脂弾性を利用することにより、付勢部材２３を省略することも可能である。
【符号の説明】
【００３５】
１０  引き戸装置
１１  引き戸
１１ａ  上端面
１２  ガイドレール
１３Ａ  ガイド部材
１４  制動機構
１５  跳ね上がり防止装置
１６  本体
１７  跳ね上がり防止部材
１７ｃ  下端面
１８  スライド部材
１９  連結機構
２２  ラッチ部材
２２ｃ  ガイド面
２３  付勢部材
２４  ラッチ作動機構
２５  連結解除機構
【図１】
2012097405.tif 000003
【図２】
2012097405.tif 000004
【図３】
2012097405.tif 000005
【図４】
2012097405.tif 000006
【図５】
2012097405.tif 000007
【図６】
2012097405.tif 000008
【図７】
2012097405.tif 000009
【図８】
2012097405.tif 000010
【図９】
2012097405.tif 000011
【図１０】
2012097405.tif 000012
【図１１】
2012097405.tif 000013
【図１２】
2012097405.tif 000014
【図１３】
2012097405.tif 000015